(57)【要約】      （修正有）【課題】小さなインプラント直径を可能にする内部連結歯科インプラントを提供する。【解決手段】本体の一部分内に設けられた内部内腔６６は前記本体の開口基部端に基部端と末梢端７２を持ち、内部に面する傾斜表面８０を含む前記内部内腔の第一部分６８を持つ。前記傾斜表面は、前記内部内腔の基部端近くから前記内部内腔の末梢端に向けて延び、インプラントを側面から見た時に前記縦軸に対して末梢端に向けて内向きに傾斜する径路を持って形成される。前記表面８０の末梢端と前記内部内腔の末梢端との間に配置した内部に面する駆動領域６９を含む前記内部内腔の第二部分を持ち、内部に面する駆動領域は、内部に面する傾斜表面８０中まで部分的に延びる複数の凹状突出部７４を持つ。また駆動領域と前記内部内腔の末梢端との間に配置しためねじ付き領域７０を含む前記内部内腔の第三部分を持つ。【選択図】図８
0003185186.tif 000002
【実用新案登録請求の範囲】
【請求項１】
以下のものを含むことを特徴とする歯科インプラント（２０）：
−  先細り本体（３２）；
−  縦軸（Ｌ２）；
−  末梢端（２４）；
−  開口基部端（２２）；
−  前記本体の外部上に設けられたインプラント保持手段（３８）、但しインプラント保持手段は少なくとも一つのねじ山（３８）を含み、少なくとも一つの溝（５０）が歯科インプラントの基部部分（２６）のねじ山（単数または複数）の面（５８）上に設けられている；
−  少なくとも一つの溝（４６）を任意選択的に備えているカラー（３６）；
−  前記本体の一部分内に設けられた内部内腔（６６）、但し前記内部内腔は前記本体の開口基部端に基部端を持ちかつ末梢端（７２）を持つ；
−  基部端及び末梢端を持つ内部に面する傾斜表面（８０）を含む前記内部内腔の第一部分（６８）、但し前記傾斜表面は、前記内部内腔の基部端近くから前記内部内腔の末梢端に向けて延びており、前記傾斜表面は、インプラントが側面から見られるときに前記縦軸に対して約８度から約度までの角度でその末梢端に向けて内向きに傾斜する径路を持って形成されている；
−  前記表面（８０）の末梢端と前記内部内腔の末梢端との間に配置された内部に面する駆動領域（６９）を含む前記内部内腔の第二部分、但し内部に面する駆動領域は、内部に面する傾斜表面（８０）中まで部分的に延びる複数の凹状突出部（７４）を持つ；及び
−  前記内部に面する駆動領域と前記内部内腔の末梢端との間に配置されためねじ付き領域（７０）を含む前記内部内腔の第三部分、但しインプラントの直径に対する突出部（７４）の長さの比（Ｌ：Ｄ）は少なくとも０．４、好ましくは少なくとも０．４５、例えば０．５２である。
【請求項２】
インプラントの直径（Ｄ）が３．１ｍｍ未満、例えば３．０ｍｍであることを特徴とする請求項１に記載の歯科インプラント。
【請求項３】
前記表面（８０）がその末梢端に向けて約８度から約３０度、好ましくは約８度から約２０度、より好ましくは略１２度の角度で傾斜する実質的に切頭円錐形の表面であることを特徴とする請求項１または２に記載の歯科インプラント。
【請求項４】
前記内部に面する駆動領域が複数の凹状突出部（７４）を含むことを特徴とする請求項１〜３のいずれかに記載の歯科インプラント。
【請求項５】
請求項１〜４のいずれかに記載の歯科インプラント（２０）とアバットメント（１００）との組み合わせ体において、アバットメントが、基部端（１０２）と末梢端（１０４）を持ち、かつ：
−  側面から見たときにアバットメントの縦軸（Ｌ１）に対して末梢端に向けて内向きに傾斜している第一アバットメント表面（１０６）；
−  第一アバットメント表面に対して末梢部にありかつ複数の突出部（１１６）を持つ第二裂片状アバットメント表面（１０８）；
−  補綴物取り付け部（１１０）；
−  前記補綴物取り付け部の少なくとも一部分を通してかつ前記アバットメントの末梢端まで延びる中心内腔（１１２）；及び
−  側面から見たときに縦軸に対して末梢端に向けて内向きに傾斜している第三傾斜アバットメント表面（１１４）；
を含み、
前記第二裂片状アバットメント表面が前記第三傾斜アバットメント表面に直ぐ隣接しており、第三傾斜アバットメント表面がアバットメントの末梢端までずっと延び、第二裂片状アバットメント表面の突出部が第三傾斜アバットメント表面上に続き、かつアバットメントの末梢端までずっと延び、第三傾斜アバットメント表面の突出部が傾斜されることを特徴とする組み合わせ体。
【請求項６】
前記歯科インプラントと前記アバットメントが連結されるときに第一アバットメント表面（１０６）が、前記内部に面する傾斜表面（８０）と係合し；
前記歯科インプラントと前記アバットメントが連結されるときに第二裂片状アバットメント表面（１０８）が、前記内部に面する駆動領域（６９）に対応しかつそれに隣接する；
ことを特徴とする請求項５に記載の組み合わせ体。
【請求項７】
第三傾斜アバットメント表面（１１４）の傾斜角度Ｙが、インプラント（２０）の内部に面する傾斜表面（８０）の傾斜角度より大きいことを特徴とする請求項５または６に記載の組み合わせ体。
【請求項８】
インプラント（２０）に連結可能なアバットメント（１００）において、前記アバットメントが、基部端（１０２）と末梢端（１０４）を持ち、かつ：
−  側面から見たときにアバットメントの縦軸（Ｌ１）に対して末梢端に向けて内向きに傾斜する第一アバットメント表面（１０６）；
−  第一アバットメント表面に対して末梢にありかつ複数の突出部（１１６）を持つ第二裂片状アバットメント表面（１０８）；
−  補綴物取り付け部（１１０）；
−  前記補綴物取り付け部の少なくとも一部分を通してかつ前記アバットメントの末梢端まで延びる中心内腔（１１２）；及び
−  側面から見たときに縦軸に対して末梢端に向けて内向きに傾斜している第三傾斜アバットメント表面（１１４）；
を含み、
前記第二裂片状アバットメント表面が前記第三傾斜アバットメント表面に直ぐ隣接しており、第三傾斜アバットメント表面がアバットメントの末梢端までずっと延び、第二裂片状アバットメント表面の突出部が第三傾斜アバットメント表面上に続き、かつアバットメントの末梢端までずっと延び、第三傾斜アバットメント表面の突出部が傾斜されることを特徴とするアバットメント。
【考案の詳細な説明】
【技術分野】
【０００１】
本発明は、一般的に歯科インプラントの分野に関し、より詳細には内部連結インプラントに関する。本発明はまた、内部連結インプラントと補完アバットメントの組み合わせ体、及びアバットメントに関する。
【背景技術】
【０００２】
現在、幅広い種類の歯科インプラントが業界で存在する。かかる歯科インプラントは、一般的に患者の口内にインプラントを取り付けかつ保持するためのおねじを持つ本体を含む。インプラントの設置は、ラチェットまたは他の回転手段のような駆動部材を用いる予め穿孔またはタップされた部位中へのインプラントの回転を含む。インプラントはまた、外部的にまたは内部的に設けられることができる駆動領域を含む。インプラントを外部的及び内部的に駆動するための種々の構造が、現在、存在する。
【０００３】
多くの内部的に駆動される歯科インプラントは、インプラントとアバットメントの間の満足のいくトルク伝達と安定性を提供するけれども、インプラント連結欠陥が存在し続ける。従って、インプラント連結欠陥を最少にすることができる構造により改善されたトルク伝達とインプラント／アバットメント安定性を与える内部連結または内部的に駆動されるインプラントに対する継続する要求がある。業界において多数のインターフェイスが存在しており、それらの中でＵＳ６７３３２９１（Ｎｏｂｅｌ  Ｂｉｏｃａｒｅ）またはＥＰ１７６３３２４（Ｋｅｙｓｔｏｎｅ  Ｄｅｎｔａｌ  Ｉｎｃ）は近い例を開示する。
【０００４】
インプラントシステムへのアバットメントの固定での一つの側面は、ある状況ではアバットメントがインプラントインターフェイスと整合するのが容易でないことである。もし正確に整合されないなら、アバットメントがインプラントにねじにより固定されるときにアバットメントまたはさらにはインプラント欠陥の危険が増大される。なぜなら負荷が適切に分配されないであろうからである。患者の口のある部分へのアクセス、並びに口部領域内の可視性は、インプラントへのアバットメントの適切な整合及び続く固定を容易にする解決策を与えることを望ましいものにする。この問題に対する解決策、特に小さな半径を持つインプラントシステムに対する業界の要求がある。小さな半径を持つインプラントに対しては、解決策に対する要求は、おそらくさらにより大きい。なぜなら連結領域を提供するために利用できる材料がより制限されるからである。
【考案の概要】
【考案が解決しようとする課題】
【０００５】
本発明の目的は、特に小さなインプラント半径または直径を可能にする内部連結歯科インプラントを提供することである。
【０００６】
本発明のこの及び他の目的は、図面、好適な実施態様の説明、及び添付請求項を参照すると明らかとなるであろう。
【０００７】
本発明は、添付の独立請求項に規定される。実施態様は、添付の従属請求項に規定される。
【図面の簡単な説明】
【０００８】
【図１】図１は、本発明によるアバットメント及び歯科インプラントを示す側面図である。
【０００９】
【図２ａ】図２ａは、図１のアバットメントの透視図である。
【００１０】
【図２ｂ】図２ｂは、図１のアバットメントの拡大された部分側面図である。
【００１１】
【図３】図３は、組み立てられた状態のときの本発明による歯科インプラント／アバットメントの断面側面図である。
【００１２】
【図４ａ】図４ａは、結合ねじにより歯科インプラントに結合される図１のアバットメントを示す側面図である。
【００１３】
【図４ｂ】図４ｂは、本発明による歯科インプラント及びドライバーの側面図である。
【００１４】
【図５】図５は、固定された状態のときの本発明による歯科インプラント／アバットメントの断面側面図である。
【００１５】
【図６】図６は、組み立てられたアバットメントとインプラントの透視図である。
【００１６】
【図７ａ】図７ａは、インプラントとかみ合うアバットメントの平面図である。
【００１７】
【図７ｂ】図７ｂは、インプラントの上面図である。
【００１８】
【図７ｃ】図７ｃは、本発明のアバットメントの一実施態様の底面図である。
【００１９】
【図７ｄ】図７ｄは、図７ｃのアバットメントの外部輪郭を示す。
【００２０】
【図８】図８は、歯科インプラントの断面側面図である。
【考案を実施するための形態】
【００２１】
図１は、歯科インプラント２０の一実施態様を示す。この実施態様では、インプラント２０は、インプラント本体３２を含み、それは下方部３４及びカラー３６を含む。インプラント２０は、種々のタイプのセラミックのような他の材料が使用されることができるけれども、チタンから作られることができる。下方部３４は、先細りであることができ、かつ下方部３４の外表面３５上に設けられている一対のねじ山（インプラント保持手段）３８を含むことができる。以下に説明されるように、図示された実施態様は、各々がインプラントの周りに螺旋形に延びる一対のねじ山３８を含むけれども、一部変更された実施態様は、より多いまたは少ないねじ山を含むことができる。加えて、以下に説明されるように、本体３２は、一般的に円錐形または先細りであるように示されている。しかし、他の実施態様では、本体３２は、実質的に円筒形または他の形状であることができる。歯科インプラント２０は、基部端２２、基部端２２に略隣接した基部部分２６、末梢端２４、及び末梢端２４に略隣接した末梢部分２８を含むことができる。
【００２２】
図示された実施態様では、インプラント本体３２は、オッセオインテグレーションを促進するように構成されることができる外表面または骨付着生長表面４０を含む。一実施態様では、骨付着生長表面４０は、本体３２の表面積を増やすことによりオッセオインテグレーションを促進するように形成される。これに関して、骨付着生長表面４０は、例えば酸腐食、グリットブラスト、及び／または機械加工のような幾つかの異なる態様でインプラント本体３２を粗面化することにより形成されることができる。これに代えて、骨付着生長表面４０は、オッセオインテグレーションを促進するためにその下にある表面をある物質で被覆することにより形成されることができる。ある実施態様では、これはインプラント本体３２の表面積を減らすことまたは増やすことをもたらすことができる。リン酸トリカルシウム（ＴＣＰ）及びヒドロキシアパタイト（ＨＡ）のようなリン酸カルシウムセラミックは、外表面４０の化学的性質を変えることによりオッセオインテグレーションを強化することができる材料の例である。他の実施態様では、外表面４０は、オッセオインテグレーションを促進するように形成されかつ単独でまたは上述の粗面化及び／または被覆と組み合わせて使用されることができる例えばねじ山、マイクロねじ山、凹み、及び／または溝のような肉眼で見える構造を含むことができる。一実施態様では、外表面４０は、低マイクロメーター範囲の開放細孔を持つ高度に結晶質のかつリン酸塩に富んだ酸化チタン微細構造をした表面のような微細構造表面を含む。かかる表面の一例は、Ｎｏｂｅｌ  Ｂｉｏｃａｒｅ  ＡＢ（登録商標）により、ＴｉＵｎｉｔｅ（登録商標）の商標の下で販売されている。別の実施態様では、ジルコニウムセラミック本体が微細構造表面を提供するために多孔性ジルコニウムで被覆されることができることは特に有利である。別の実施態様では、微細構造表面はオッセオインテグレーションを促進するように形成された物質（例えば骨生長刺激物質）で被覆されることができる。
【００２３】
続いて図１に関して、カラー３６は下方部３４の上に位置することができ、図示された実施態様では、下方部３４と共に一体的に形成されるかまたは下方部３４に永久的に取り付けられることができる。カラー３６は、少なくとも部分的に側壁４４により規定されることができる。図示された実施態様では、側壁４４は、カラー３６の側壁４４の周りに円周状に配置されている二つの半円形溝４６を含む。半円形溝４６は、患者の歯茎の軟組織のような軟組織のための追加の生長表面を提供することができる。一実施態様では、半円形溝４６は約１５０ミクロンの幅及び約５０ミクロンの深さを持つ。溝４６は、一つ以上の溝４６がカラー３６の実質的部分を占めるような寸法であることができる。図１の図示された実施態様では、二つの溝４６は、カラー３６の実質的部分（例えば全面積の５０％より多く）を占めるものとして示されている。一部変更された実施態様では、カラー３６は、より多いまたは少ない溝を備えることができ、または溝を持たないことができ、及び／または異なる寸法及び形状を持つ溝を備えることができる。他の実施態様では、周囲突起またはマイクロねじ山がカラー３６上に設けられることができる。一般的に、カラー３６上のかかる構造は、インプラント２０が挿入されるがインプラント２０のねじ山３８に比べたときにより少ない範囲まで挿入されるより硬い皮質骨に負荷をかけるために有利な形状をしており、それらは、皮質骨の下に位置した海綿状の網状組織骨と係合するように構成されることができる。他の実施態様では、カラー３６は、例えば内向きに先細りとなったりまたは逆先細り側壁を持つ非円筒形状であることができる。
【００２４】
図１に示された実施態様では、ねじ山３８のそれぞれは、面５８により連結されている末梢フランク５４と基部フランク５６を含む。上述のように、図示された歯科インプラント２０は、末梢端２４の対向側面で始まりかつインプラント本体３２の下方端３４に沿って対向位置を維持しながら下方部３４に沿って基部端２２に向けて進行する一対のねじ山３８を含む。従って、図示された実施態様では、ねじ山３８のそれぞれは同じピッチを持つ。図示された実施態様は二つのねじ山３８を示すけれども、一つまたは三つのような他の好適な数のねじ山も使用されることができることは認められるであろう。
【００２５】
図示された実施態様では、ねじ山３８のそれぞれの面５８は、ねじ山３８が歯科インプラント２０の末梢端２４から基部端２２に進行するにつれて厚さＴを増加する。すなわち、インプラント２０の末梢部分２８内のねじ山３８の末梢部分は、インプラント２０の基部部分２６上のねじ山３８の基部部分より細い面を含む。
【００２６】
インプラント本体３２は少なくとも三つの異なる角度を規定することができる。第一の角度は、インプラント本体３２の一般的形状により規定されることができる。第二の角度は、ねじ山３８の面５８により規定されることができる。第三の角度は、ねじ山のベースにより規定されることができる。図１に関して、インプラント本体３２の下方部３４の円錐形状は可変角度を含むことができる。可変角度は、末梢部分２８の角度が基部部分２６の角度より狭いように変わることができる。さらに、ねじ山３８の面５８はまた、円錐形であることができ、ねじ山３８の面５８は、変化する円錐角を規定することができる。ねじ山３８の面５８により規定される角度は、インプラント本体３２の下方部３４により形成された変化する円錐角と異なることができる。すなわち、インプラント本体３２の下方部３４により規定される円錐角は、ねじ山３８の面５８により形成された円錐角より狭くすることができる。一実施態様では、インプラント本体３２の下方部３４により規定される円錐角は、ねじ山３８の面５８により形成される円錐角より大きくすることができる。図示された実施態様は前述の円錐角関係を利用するけれども、他の好適な関係も使用されることができる。かかる好適な関係は、面５８が円錐形でなくかつ略円筒形状を規定するねじ山３８及び／またはインプラント本体３２の下方部３４の円錐角に密接に調和する円錐角を規定するねじ山３８の面５８を含むことができる。さらに他の実施態様では、ねじ山３８の面５８により規定される角度及び／または本体３２により規定される角度は、それらが実質的に円筒状であるようにインプラント２０の縦軸に略平行であることができる。
【００２７】
図１に関して、歯科インプラント２０の下方部３４は、歯科インプラント２０の末梢部分２８上に配置されている二つの溝４８を含む。溝４８は、歯科インプラント２０の挿入を助ける形状をしており、以下により詳細に検討されるであろう。下方部３４はまた、歯科インプラント２０の基部部分２６内に一対のねじ山のそれぞれの面５８上に設けられている上部溝５０を含む。インプラントの末梢部分２８では、下部溝５２（図６参照）は、歯科インプラント２０の末梢部分２８上の表面３５上のねじ山３８のそれぞれの間に設けられることができる。一般に、溝５０は略螺旋型に延びる。図示された実施態様では、各溝５０は実質的に連続している。しかし、一部変形された実施態様では、一つまたは両方の溝５０は非連続であるように形成されることができる。例えば、溝５０は、略螺旋形を一緒に形成する一連の短い溝、くぼみ、またはへこみから形成されることができる。しかし、骨組織はある寸法の連続径路に沿って成長するのを好むことが観察されたので、連続溝が有利には骨付着を促進する。
【００２８】
図１に関して、溝４８は略螺旋形状を含むことができる。さらに、溝４８は、歯科インプラント２０の末梢端２４から略中心部に向けて延びることができる。溝４８は、インプラント本体３２の下方部３４に沿って略対向位置に設けられることができる。図示された実施態様では、溝４８は、歯科インプラント２０が反時計方向に回転されるとき、骨を切断または除去するように構成されている。さらに、溝４８は、骨を切断または除去することなく時計方向に回転されるのを可能にするように構成される。しかし、骨除去は、インプラント２０を反時計方向に回転することにより達成されることができる。
【００２９】
歯科インプラント２０の図示実施態様は、歯科インプラント２０が反時計方向に回転されるときに切断するように構成されている溝４８を持って示されているけれども、他の好適な溝または溝配向もまた使用されることができる。かかる好適な溝または溝配向は、歯科インプラント２０が時計方向に回転されるときに切断またはタッピング機能を提供するように構成される溝を含むことができる。
【００３０】
続いて図１に関して、溝５０は、歯科インプラント２０上に、例えばオッセオインテグレーションのための追加の表面を提供するために設けられる。溝５０は、歯科インプラント２０の基部部分２６上に設けられたねじ山３８の部分の面５８上に設けられることができる。溝５０は、下方部３４の基部端２２で始まり、かつ下方部３４の長さの少なくとも約３７％にほぼ渡ってねじ山３８の面５８に沿って末梢端２４に向けて延びることができる。図示された実施態様では、溝５０は、歯科インプラント２０の末梢端２４に向けて消散するか及び／または先細りとなる。溝５０の消散及び／または先細りは、インプラント２０の約１／４〜１／２回転内の距離に渡って起こることができる。ある実施態様では、消散及び／または先細りを越えた面５８の部分は溝５０を含まないであろう。図１の図示された実施態様は、溝５０が下方部３４の長さの基部に近い方の３７％にほぼ沿って延びることができることを示す。しかし、他の実施態様では、上部溝５０は、下方部３４の基部に近い方の１０％〜８０％にほぼ沿って延びるように形成されることができ、他の実施態様では、上部溝５０は、下方部３４の基部に近い方の２０％〜５０％にほぼ沿って延びることができる。
【００３１】
一実施態様では、下部溝及び上部溝５０の構成は、インプラント本体３２の下方部３４の少なくとも一部分に沿って重複する上部溝及び下部溝５０をもたらすことができる。従って、上部溝及び下部溝５０の両方を含むインプラント本体３２の下方部３４の一部分がある。図示された実施態様は、上部溝５０を含むが下部溝を含まないもの、他の実施態様では上部溝と下部溝が重複することができるまたはできないもの、及び／または上部と下部溝５０間の会合点で終わることができるものまたは上部と下部溝５０間の会合点前で終わることができるものを示す。
【００３２】
図８に最も良く示されるように、歯科インプラント２０はまた、歯科インプラント２０の基部端２２で開口している中空部または内部連結界面（内腔）６６を含むことができる。図示された実施態様では、中空部６６は、−基部／冠状端から末梢／尖端に向けて−第一部分、第二部分、及び第三部分を含む。第一部分はアバットメント室６８である。第二部分は、インプラント２０の縦方向に延びかつ第二部分の内部の周りに均一に分散されて設けられた複数のかみ合い突出部７４を持つ内部に面する駆動領域６９を含む。中空部６６の第三部分は、ねじ山付き室（めねじ付き領域）７０を含む。アバットメント室６８、及びかみ合い突出部７４を持つ内部に面する駆動領域（かみ合い凹所）６９は、アバットメント１００を受けるように構成されることができ、ねじ山付き室７０は、アバットメント１００をインプラント２０に取り付けるように構成される結合ねじ２００を受けるように構成されることができる。
【００３３】
ねじ山付き室７０は、一般的にアバットメント室６８の下に設けられることができる。さらに、内部に面する駆動領域６９とねじ山付き室７０の間の領域７７は省かれることができる。これは、コンパクトな（短い）界面を可能にし、それは、インプラント２０の本体３２が先細りであるときに有益であることができる。
【００３４】
アバットメント室６８は、連結界面６６のための幅広の初期開口を提供するインプラント２０の縦軸Ｌ２に対して内向きに先細りとなる側壁（内部に面する傾斜表面）８０を含む。アバットメント室６８の特別な幾何学形状は、縦軸Ｌ２に対して円錐半角Ｘを規定する。一実施態様では、円錐半角Ｘは、約１０度と約２０度の間にある。すなわち、内部壁８０と縦中心線Ｌ２の間の角度は好ましくは約１０度と約２０度の間にある。一実施態様では、円錐半角Ｘは約１２度である。
【００３５】
図示された実施態様のさらに別の利点は、インプラント２０の実質的に平坦な上部表面２１の面積と厚さである。一実施態様では、インプラント２０の上部表面２１は、有利にはインプラント２０の上部表面２１上に特定の歯科用修復物を支持するための表面を提供することができる。追加的にまたは代替的に、上部表面２１は、かみ合い凹所６９を迂回する要素を支持するために使用されることができる。従って、一実施態様では、インプラント２０の上部表面２１は、上部表面２１の外部及び内部周囲の間で測定したときに少なくとも０．２ｍｍより大きい、別の実施態様では約０．２５ｍｍより大きい厚さを少なくとも持つ。一実施態様では、上部表面２１の厚さは約０．２５ｍｍである。
【００３６】
上述の実施態様は、歯槽骨内に埋設されたときに歯科インプラントの改善された安定性を提供する。さらに、本発明のある実施態様は、空間の効率的な利用を提供する。例えば、上述のように、ある実施態様では、上部溝５０は、内部連結界面６６を含む本体３２の一部分のねじ山３８の面５０上に設けられる。従って、インプラント２０の本体の強度は、この場所では影響を受けないままである。もし上記溝５０がこの部分の本体３２上に設けられたなら、本体強度を維持するために特定の寸法に維持された最小壁厚を持つ内部連結界面６６のために利用可能な空間がより少ないであろう。従って、内部連結界面６６の部分内の面５８に位置された上部溝５０を持つことは、連結界面６６のために利用可能な空間を改善し、さらにインプラント２０の改善された安定性を提供する。ある実施態様では、壁厚は、もし上部溝５０がかみ合い凹所７４の部分の面５８にのみ設けられ、しかも少なくとも部分的にねじ山付き室７０の場所に設けられないなら十分であるであろう。
【００３７】
インプラント２０の駆動領域６９は、複数の外向きに延びるかまたは凹状の突出部７４を含む複数の内部に面する突出部を持つ突出部構成からなる。本発明の好適な実施態様では、凹状突出部７４は、図７ｂに示されるように、互いから６０°だけ角度的に間隔を置かれている。従って、好適な実施態様では、六つの凹状突出部７４がある。好ましくは、駆動領域６９の壁厚は、なおインプラント２０を患者の顎骨中に回転し、従って埋入し、もし必要ならインプラントを回収するために十分なトルク伝達を提供しながら、できるだけ小さく保たれる。これはまた、インプラント２０の強度を最大にし、埋入及び使用時の両方でインプラント連結欠陥を減らす。
【００３８】
好ましくは、突出部７４のそれぞれは実質的に平行線に沿って延びる。従って、突出部７４はインプラント２０の縦軸Ｌ２に実質的に平行に延びる。
【００３９】
さらに、突出部７４は、図７ｂ及び８でわかるように、内部に面する傾斜表面８０中まで部分的に延びることが好ましい。言い換えれば、凹状突出部７４は、表面８０を介してアバットメント室６８内に開口する。さらに言い換えれば、傾斜表面８０は、駆動領域６９の最も内向きに延びる要素までずっと延びる。
【００４０】
さらに、外向きに延びる凹状突出部７４は、実質的に同じまたは同様な半径を持つ円の部分であり、互いに対してかつインプラントの縦軸に対して実質的に平行である側壁を持つ。この構造は、インプラント寸法にかかわらず、特に軸をはずれた負荷を含む状況にあるときに、埋入または使用時の歯科インプラント連結欠陥に抵抗し、従ってそれを減らすために増加した直径の外部壁を提供する。
【００４１】
好適な駆動領域６９は、実質的に等しい半径の部分から形成された複数の凹状突出部を含むけれども、本発明の特定の利点が、等しくない半径を持つ円から形成されているかまたは円以外の構成から形成されている裂片状構成により達成されることもできる。代替構成では、アバットメント及び駆動ツール及び配置ヘッドの対応する構成が同様に変えられる。
【００４２】
本発明によるアバットメント１００を特に図２ａ及び２ｂに関して説明する。アバットメント１００はインプラント２０に連結可能である。アバットメント１００は基部端１０２及び末梢端１０４を持つ。
【００４３】
アバットメント１００はさらに、補綴物取り付け部１１０を含む。さらに、アバットメント１００は、補綴物取り付け部１１０の少なくとも一部分を通してかつアバットメント１００の末梢端１０４に延びる中心内腔１１２を含む。
【００４４】
アバットメント１００はさらに、側面から見たときにアバットメントの縦軸Ｌ１に対してその末梢端に向けて内向きに傾斜している第一アバットメント表面１０６を含む。第一アバットメント表面１０６の傾斜角度は、図２ｂでわかるようにＸで示されている。第一アバットメント表面１０６はインプラント２０の内壁８０に対応する。
【００４５】
アバットメント１００はさらに、第一アバットメント表面に対して末梢にありかつ複数の突出部１１６を持つ第二裂片状アバットメント表面１０８を含む。突出部１１６は、外向きに延びる凸状突出部１１６であることができる。外向きに延びる凸状突出部１１６の数は、例えば六つであることができる。突出部１１６は、表面１０８の周囲の周りに均一に分布されている。第二裂片状アバットメント表面１０８は、歯科インプラント２０とアバットメント１００が連結されるときにインプラントの内部に面する駆動領域６９に対応しかつそれに隣接することができる。すなわち、外向きに延びる凸状突出部１１６は、インプラント２０の凹状突出部７４を補完しかつそれと係合するために設計されている。
【００４６】
アバットメント１００はさらに、側面から見たときに縦軸Ｌ１に対して、その末梢端に向けて内向きに傾斜している第三傾斜アバットメント表面１１４を含む。第二裂片状アバットメント表面１０８は、第三傾斜アバットメント表面１１４のすぐ隣りにある。第三傾斜アバットメント表面１１４は、アバットメント１００の末梢端１０４に向けてずっと延びる。第二裂片状アバットメント表面１０８の突出部１１６は、第三傾斜アバットメント表面１１４上に続き、それらはまた、アバットメント１００の末梢端１０４に向けてずっと延びる。さらに、第三傾斜アバットメント表面１１４の突出部１１６は、例えば図２ａ及び２ｂでわかるように傾斜される。従って、裂片状末梢端の面取りがアバットメント１００上に形成される。
【００４７】
第三傾斜アバットメント表面１１４の傾斜角度Ｙは、１２．５〜５０度であることができる。さらに、図７ｄでわかるように、凸状突出部１１６は円Ｃ上に位置し、円Ｃと凸状突出部１１６の半径方向に最も外向きの点との間の距離Ａ１は、凸状突出部１１６間の領域１１５の半径方向に最も内向きの点と円との間の最大距離Ａ２より大きくすることができる。すなわち、Ａ２＜Ａ１である。この方法では、領域１１５は、図７ｃから認められるように、薄過ぎることにならない。さらに、突出部１１６は、第三傾斜アバットメント表面１１４の傾斜角度Ｙと実質的に同じ角度で傾斜されることが好ましい。さらに、末梢端１０４のアバットメント１００の端部表面１２２は、中心内腔１１２により規定される内部円形輪郭１２４、及び突出部１１６を持つ第三傾斜アバットメント表面１１４の末梢端により規定される外部非円形輪郭１２６を持つことができる。
【００４８】
傾斜した突出部１１６を持つ第三傾斜アバットメント表面１１４は、アバットメント１００がインプラント２０と組み立てられるときにアバットメント１００の正しい位置に向けての案内を可能にする。すなわち、アバットメント１００とインプラント２０が一緒にもたらされるときにもしアバットメント１００の突出部１１６とインプラント２０の突出部７４が適切に整合されないなら、インプラント２０に対してアバットメント１００をさらにねじるかまたは回転することにより、アバットメント１００は、容易に所定場所中に落ちるであろう。総体的に、アバットメント１００のインプラント２０への連結は容易にされる。
【００４９】
さらに、インプラント２０の駆動領域６９の突出部７４は、３．０ｍｍの直径Ｄの歯科インプラント２０のために約１．５５ｍｍの実質的長さＬを持つことができる。これは、アバットメント１００が駆動領域６９と不適切に整合されているところから（その場合に突出部１１６の傾斜端が突出部７４間の表面８０の部分と接触状態にある）アバットメント１００をその軸Ｌ１の周りに回転することにより駆動領域６９と適切に整合することとなるところまで行くときにアバットメント１００に等しく実質的な「落下距離」を持たせることを可能にする。これはまた、アバットメント１００がインプラント２０内に正しく配置されたことの明確な触覚的応答を使用者に与える。Ｌ＝１．５５ｍｍかつＤ＝３．０ｍｍは、０．５２の比（Ｌ：Ｄ）を与える。好ましくは、この比は、本インプラントのためには少なくとも０.４、より好ましくは少なくとも０．４５である。第二裂片状アバットメント表面１０８及び第三傾斜アバットメント表面１１４を持つアバットメント１００の部分は、明確な触覚的応答を達成するために対応する高さを持つべきである。この高さは、例えば３．０ｍｍの直径Ｄの歯科インプラント２０のためには約１．３５ｍｍであることができる。長さＬはまた、末梢端２２での内径に対比されることができる。３．０ｍｍ直径Ｄのインプラント２０のための内径は、例えば２．５ｍｍであることができる。
【００５０】
図３は、歯科インプラント２０と組み立てられているが、まだ結合ねじにより連結または固定されていないアバットメント１００を示す側面断面図である。図示されているように、アバットメント１００の第二裂片状アバットメント表面１０８は、歯科インプラント２０の内部に面する駆動領域６９と整合しかつその中に挿入されている。さらに、第一アバットメント表面１０６を持つアバットメント１００の円錐形部分は、歯科インプラント２０のアバットメント室（受け入れ室）６８中に挿入されている。本発明では好ましくないけれども、アバットメント１００は、末梢端１０４がかみ合い凹所７４の下方端７５と接触状態にあるように歯科インプラント２０の中空部６６中に挿入されることもできる。
【００５１】
図３にも示されるように、インプラント２０の上部表面２１は、アバットメント１００がインプラント２０に結合されるときに露出されたままであることができる。一実施態様では、露出された上部表面は、少なくとも約０．２ｍｍの厚さＮを持ち、一実施態様では、約０．２５ｍｍの厚さを持つ。この厚さは少なくとも０．１ｍｍである。
【００５２】
図５に関して、結合ねじ２００の下方ねじ山付き領域２０２は、歯科インプラント２０のねじ山付き室７０と係合されることができ、結合ねじ２００の座部２１０は、アバットメント１００の座部１１１と接触している。結合ねじ２００及びアバットメント１００及び歯科インプラント２０のこの係合は、それによりアバットメント１００を歯科インプラント２０に固定することができる。
【００５３】
図４ｂは、インプラント２０を患者の顎骨内に埋入するための駆動手段（インプラント駆動体とも呼ばれる）４００の一実施態様を示す。駆動手段４００は、案内部４０６及び駆動部４０５を含む。案内部４０５は、駆動手段４００の縦軸に略平行に延びる略円筒形状のねじ山のない構造を含む。駆動部４０５は、アバットメント１００の第二裂片状アバットメント表面１０８の裂片状構成に実質的に似た裂片状構成を含み、従って駆動手段４００がインプラント２０中に挿入されかつ回転されるとき、駆動部４０５の裂片状構成は、駆動関係でインプラント２０の駆動領域６９の突出部７４とかみ合いかつ係合する。駆動手段４００はさらに、六角４０８、方形またはいかなる他の手段も含むことができ、それに対して電動化されたまたは電動化されていない器具等を付与して駆動手段４００、従ってインプラント２０を回転することができる。
【００５４】
本発明の歯科インプラント２０及びアバットメント１００の構造を述べたが、それらの設置は次のように最良に理解されることができる。まず、患者の口内のインプラント部位を調製した後、インプラント２０は、それを、図４ｂに示されたような直接駆動手段４００により、または予め組み立てられたフィクスチャーマウント（図示せず）によって、回転することにより埋入される。インプラント２０が希望の埋入深さに埋入された後、駆動手段４００またはフィクスチャーマウント装置がインプラント２０から除去される。アバットメント１００が次いでインプラントの開口端内に配置され、アバットメント１００の第二裂片状アバットメント表面１０８及び第一傾斜表面１０６は、インプラント２０の駆動領域６９及び傾斜表面８０内にそれぞれ配置されかつそれらと係合する。結合ねじ２００が次いで内腔１１２の開口端中に挿入され、図４ａに示されるようにラチェット３００により、または他の従来公知の回転ツールにより回転され、それにより結合ねじ２００の下方ねじ山付き領域２０２がインプラント２０のねじ山付き室７０のねじ山中にねじ込まれる。ラチェット３００または他の回転ツールと結合ねじ２００の界面は２０１により示されている。ねじ２００の回転は、タイトな摩擦嵌合を形成するインプラント２０のアバットメント室６８の傾斜表面８０に対してアバットメント１００の傾斜表面１０６を強制する。これはアバットメント１００とインプラント２０の間に安定性を提供する。
【００５５】
本発明を特定の好適な実施態様及び実施例で開示したが、本発明が特定の開示された実施態様を越えて他の代替実施態様及び／または本発明の使用及び明らかな変形例及びそれらの均等物まで広がることは当業者により理解されるであろう。加えて、本発明の多数の変形例を示しかつ詳細に述べたが、本発明の範囲内にある他の変更もこの開示に基づいて当業者に容易に明らかとなるであろう。実施態様の特定の特徴及び態様の種々の組み合わせまたは副組み合わせがなされることができ、それらが本発明の範囲内に入ることも予想される。従って、開示された実施態様の種々の特徴及び態様が開示された発明の多様な方式を実施するために互いに組み合わされまたは置き換えられることができることは理解されるべきである。従って、ここに開示された本発明の範囲は、上述の特定の開示された実施態様により限定されるべきでないこと、また請求項の正当な読みとりによってのみ決定されるべきであることが意図されている。
【図１】
0003185186.tif 000003
【図２ａ】
0003185186.tif 000004
【図２ｂ】
0003185186.tif 000005
【図３】
0003185186.tif 000006
【図４ａ】
0003185186.tif 000007
【図４ｂ】
0003185186.tif 000008
【図５】
0003185186.tif 000009
【図６】
0003185186.tif 000010
【図７ａ】
0003185186.tif 000011
【図７ｂ】
0003185186.tif 000012
【図７ｃ】
0003185186.tif 000013
【図７ｄ】
0003185186.tif 000014
【図８】
0003185186.tif 000015
【手続補正書】
【提出日】平成25年1月10日(2013.1.10)
【手続補正１】
【補正対象書類名】実用新案登録請求の範囲
【補正対象項目名】全文
【補正方法】変更
【補正の内容】
【実用新案登録請求の範囲】
【請求項１】
以下のものを含むことを特徴とする歯科インプラント（２０）：
−  先細り本体（３２）；
−  縦軸（Ｌ２）；
−  末梢端（２４）；
−  開口基部端（２２）；
−  前記本体の外部上に設けられたインプラント保持手段（３８）、但しインプラント保持手段は少なくとも一つのねじ山（３８）を含み、少なくとも一つの溝（５０）が歯科インプラントの基部部分（２６）のねじ山（単数または複数）の面（５８）上に設けられている；
−  少なくとも一つの溝（４６）を任意選択的に備えているカラー（３６）；
−  前記本体の一部分内に設けられた内部内腔（６６）、但し前記内部内腔は前記本体の開口基部端に基部端を持ちかつ末梢端（７２）を持つ；
−  基部端及び末梢端を持つ内部に面する傾斜表面（８０）を含む前記内部内腔の第一部分（６８）、但し前記傾斜表面は、前記内部内腔の基部端近くから前記内部内腔の末梢端に向けて延びており、前記傾斜表面は、インプラントが側面から見られるときに前記縦軸に対して約８度から約３０度までの角度でその末梢端に向けて内向きに傾斜する径路を持って形成されている；
−  前記表面（８０）の末梢端と前記内部内腔の末梢端との間に配置された内部に面する駆動領域（６９）を含む前記内部内腔の第二部分、但し内部に面する駆動領域は、内部に面する傾斜表面（８０）中まで部分的に延びる複数の凹状突出部（７４）を持つ；及び
−  前記内部に面する駆動領域と前記内部内腔の末梢端との間に配置されためねじ付き領域（７０）を含む前記内部内腔の第三部分、但しインプラントの直径に対する突出部（７４）の長さの比（Ｌ：Ｄ）は少なくとも０．４、好ましくは少なくとも０．４５、例えば０．５２である。
【請求項２】
インプラントの直径（Ｄ）が３．１ｍｍ未満、例えば３．０ｍｍであることを特徴とする請求項１に記載の歯科インプラント。
【請求項３】
前記表面（８０）がその末梢端に向けて約８度から約３０度、好ましくは約８度から約２０度、より好ましくは略１２度の角度で傾斜する実質的に切頭円錐形の表面であることを特徴とする請求項１または２に記載の歯科インプラント。
【請求項４】
前記内部に面する駆動領域が複数の凹状突出部（７４）を含むことを特徴とする請求項１〜３のいずれかに記載の歯科インプラント。
【請求項５】
前記角度が約１０度から約２０度までであることを特徴とする請求項１に記載の歯科インプラント。
【請求項６】
請求項１〜５のいずれかに記載の歯科インプラント（２０）とアバットメント（１００）との組み合わせ体において、アバットメントが、基部端（１０２）と末梢端（１０４）を持ち、かつ：
−  側面から見たときにアバットメントの縦軸（Ｌ１）に対して末梢端に向けて内向きに傾斜している第一アバットメント表面（１０６）；
−  第一アバットメント表面に対して末梢部にありかつ複数の突出部（１１６）を持つ第二裂片状アバットメント表面（１０８）；
−  補綴物取り付け部（１１０）；
−  前記補綴物取り付け部の少なくとも一部分を通してかつ前記アバットメントの末梢端まで延びる中心内腔（１１２）；及び
−  側面から見たときに縦軸に対して末梢端に向けて内向きに傾斜している第三傾斜アバットメント表面（１１４）；
を含み、
前記第二裂片状アバットメント表面が前記第三傾斜アバットメント表面に直ぐ隣接しており、第三傾斜アバットメント表面がアバットメントの末梢端までずっと延び、第二裂片状アバットメント表面の突出部が第三傾斜アバットメント表面上に続き、かつアバットメントの末梢端までずっと延び、第三傾斜アバットメント表面の突出部が傾斜されることを特徴とする組み合わせ体。
【請求項７】
前記歯科インプラントと前記アバットメントが連結されるときに第一アバットメント表面（１０６）が、前記内部に面する傾斜表面（８０）と係合し；
前記歯科インプラントと前記アバットメントが連結されるときに第二裂片状アバットメント表面（１０８）が、前記内部に面する駆動領域（６９）に対応しかつそれに隣接する；
ことを特徴とする請求項６に記載の組み合わせ体。
【請求項８】
第三傾斜アバットメント表面（１１４）の傾斜角度Ｙが、インプラント（２０）の内部に面する傾斜表面（８０）の傾斜角度より大きいことを特徴とする請求項６または７に記載の組み合わせ体。
【請求項９】
インプラント（２０）に連結可能なアバットメント（１００）において、前記アバットメントが、基部端（１０２）と末梢端（１０４）を持ち、かつ：
−  側面から見たときにアバットメントの縦軸（Ｌ１）に対して末梢端に向けて内向きに傾斜する第一アバットメント表面（１０６）；
−  第一アバットメント表面に対して末梢にありかつ複数の突出部（１１６）を持つ第二裂片状アバットメント表面（１０８）；
−  補綴物取り付け部（１１０）；
−  前記補綴物取り付け部の少なくとも一部分を通してかつ前記アバットメントの末梢端まで延びる中心内腔（１１２）；及び
−  側面から見たときに縦軸に対して末梢端に向けて内向きに傾斜している第三傾斜アバットメント表面（１１４）；
を含み、
前記第二裂片状アバットメント表面が前記第三傾斜アバットメント表面に直ぐ隣接しており、第三傾斜アバットメント表面がアバットメントの末梢端までずっと延び、第二裂片状アバットメント表面の突出部が第三傾斜アバットメント表面上に続き、かつアバットメントの末梢端までずっと延び、第三傾斜アバットメント表面の突出部が傾斜されることを特徴とするアバットメント。
【請求項１０】
第三傾斜アバットメント表面の傾斜角度（Ｙ）が１２．５度から５０度であることを特徴とする請求項９に記載のアバットメント。
【手続補正２】
【補正対象書類名】明細書
【補正対象項目名】全文
【補正方法】変更
【補正の内容】
【考案の詳細な説明】
【技術分野】
【０００１】
本考案は、一般的に歯科インプラントの分野に関し、より詳細には内部連結インプラントに関する。本考案はまた、内部連結インプラントと補完アバットメントの組み合わせ体、及びアバットメントに関する。
【背景技術】
【０００２】
現在、幅広い種類の歯科インプラントが業界で存在する。かかる歯科インプラントは、一般的に患者の口内にインプラントを取り付けかつ保持するためのおねじを持つ本体を含む。インプラントの設置は、ラチェットまたは他の回転手段のような駆動部材を用いる予め穿孔またはタップされた部位中へのインプラントの回転を含む。インプラントはまた、外部的にまたは内部的に設けられることができる駆動領域を含む。インプラントを外部的及び内部的に駆動するための種々の構造が、現在、存在する。
【０００３】
多くの内部的に駆動される歯科インプラントは、インプラントとアバットメントの間の満足のいくトルク伝達と安定性を提供するけれども、インプラント連結欠陥が存在し続ける。従って、インプラント連結欠陥を最少にすることができる構造により改善されたトルク伝達とインプラント／アバットメント安定性を与える内部連結または内部的に駆動されるインプラントに対する継続する要求がある。業界において多数のインターフェイスが存在しており、それらの中でＵＳ６７３３２９１（Ｎｏｂｅｌ  Ｂｉｏｃａｒｅ）またはＥＰ１７６３３２４（Ｋｅｙｓｔｏｎｅ  Ｄｅｎｔａｌ  Ｉｎｃ）は近い例を開示する。
【０００４】
インプラントシステムへのアバットメントの固定での一つの側面は、ある状況ではアバットメントがインプラントインターフェイスと整合するのが容易でないことである。もし正確に整合されないなら、アバットメントがインプラントにねじにより固定されるときにアバットメントまたはさらにはインプラント欠陥の危険が増大される。なぜなら負荷が適切に分配されないであろうからである。患者の口のある部分へのアクセス、並びに口部領域内の可視性は、インプラントへのアバットメントの適切な整合及び続く固定を容易にする解決策を与えることを望ましいものにする。この問題に対する解決策、特に小さな半径を持つインプラントシステムに対する業界の要求がある。小さな半径を持つインプラントに対しては、解決策に対する要求は、おそらくさらにより大きい。なぜなら連結領域を提供するために利用できる材料がより制限されるからである。
【考案の概要】
【考案が解決しようとする課題】
【０００５】
本考案の目的は、特に小さなインプラント半径または直径を可能にする内部連結歯科インプラントを提供することである。
【０００６】
本考案のこの及び他の目的は、図面、好適な実施態様の説明、及び添付請求項を参照すると明らかとなるであろう。
【０００７】
本考案は、添付の独立請求項に規定される。実施態様は、添付の従属請求項に規定される。
【図面の簡単な説明】
【０００８】
【図１】図１は、本考案によるアバットメント及び歯科インプラントを示す側面図である。
【０００９】
【図２ａ】図２ａは、図１のアバットメントの透視図である。
【００１０】
【図２ｂ】図２ｂは、図１のアバットメントの拡大された部分側面図である。
【００１１】
【図３】図３は、組み立てられた状態のときの本考案による歯科インプラント／アバットメントの断面側面図である。
【００１２】
【図４ａ】図４ａは、結合ねじにより歯科インプラントに結合される図１のアバットメントを示す側面図である。
【００１３】
【図４ｂ】図４ｂは、本考案による歯科インプラント及びドライバーの側面図である。
【００１４】
【図５】図５は、固定された状態のときの本考案による歯科インプラント／アバットメントの断面側面図である。
【００１５】
【図６】図６は、組み立てられたアバットメントとインプラントの透視図である。
【００１６】
【図７ａ】図７ａは、インプラントとかみ合うアバットメントの平面図である。
【００１７】
【図７ｂ】図７ｂは、インプラントの上面図である。
【００１８】
【図７ｃ】図７ｃは、本考案のアバットメントの一実施態様の底面図である。
【００１９】
【図７ｄ】図７ｄは、図７ｃのアバットメントの外部輪郭を示す。
【００２０】
【図８】図８は、歯科インプラントの断面側面図である。
【考案を実施するための形態】
【００２１】
図１は、歯科インプラント２０の一実施態様を示す。この実施態様では、インプラント２０は、インプラント本体３２を含み、それは下方部３４及びカラー３６を含む。インプラント２０は、種々のタイプのセラミックのような他の材料が使用されることができるけれども、チタンから作られることができる。下方部３４は、先細りであることができ、かつ下方部３４の外表面３５上に設けられている一対のねじ山（インプラント保持手段）３８を含むことができる。以下に説明されるように、図示された実施態様は、各々がインプラントの周りに螺旋形に延びる一対のねじ山３８を含むけれども、一部変更された実施態様は、より多いまたは少ないねじ山を含むことができる。加えて、以下に説明されるように、本体３２は、一般的に円錐形または先細りであるように示されている。しかし、他の実施態様では、本体３２は、実質的に円筒形または他の形状であることができる。歯科インプラント２０は、基部端２２、基部端２２に略隣接した基部部分２６、末梢端２４、及び末梢端２４に略隣接した末梢部分２８を含むことができる。
【００２２】
図示された実施態様では、インプラント本体３２は、オッセオインテグレーションを促進するように構成されることができる外表面または骨付着生長表面４０を含む。一実施態様では、骨付着生長表面４０は、本体３２の表面積を増やすことによりオッセオインテグレーションを促進するように形成される。これに関して、骨付着生長表面４０は、例えば酸腐食、グリットブラスト、及び／または機械加工のような幾つかの異なる態様でインプラント本体３２を粗面化することにより形成されることができる。これに代えて、骨付着生長表面４０は、オッセオインテグレーションを促進するためにその下にある表面をある物質で被覆することにより形成されることができる。ある実施態様では、これはインプラント本体３２の表面積を減らすことまたは増やすことをもたらすことができる。リン酸トリカルシウム（ＴＣＰ）及びヒドロキシアパタイト（ＨＡ）のようなリン酸カルシウムセラミックは、外表面４０の化学的性質を変えることによりオッセオインテグレーションを強化することができる材料の例である。他の実施態様では、外表面４０は、オッセオインテグレーションを促進するように形成されかつ単独でまたは上述の粗面化及び／または被覆と組み合わせて使用されることができる例えばねじ山、マイクロねじ山、凹み、及び／または溝のような肉眼で見える構造を含むことができる。一実施態様では、外表面４０は、低マイクロメーター範囲の開放細孔を持つ高度に結晶質のかつリン酸塩に富んだ酸化チタン微細構造をした表面のような微細構造表面を含む。かかる表面の一例は、Ｎｏｂｅｌ  Ｂｉｏｃａｒｅ  ＡＢ（登録商標）により、ＴｉＵｎｉｔｅ（登録商標）の商標の下で販売されている。別の実施態様では、ジルコニウムセラミック本体が微細構造表面を提供するために多孔性ジルコニウムで被覆されることができることは特に有利である。別の実施態様では、微細構造表面はオッセオインテグレーションを促進するように形成された物質（例えば骨生長刺激物質）で被覆されることができる。
【００２３】
続いて図１に関して、カラー３６は下方部３４の上に位置することができ、図示された実施態様では、下方部３４と共に一体的に形成されるかまたは下方部３４に永久的に取り付けられることができる。カラー３６は、少なくとも部分的に側壁４４により規定されることができる。図示された実施態様では、側壁４４は、カラー３６の側壁４４の周りに円周状に配置されている二つの半円形溝４６を含む。半円形溝４６は、患者の歯茎の軟組織のような軟組織のための追加の生長表面を提供することができる。一実施態様では、半円形溝４６は約１５０ミクロンの幅及び約５０ミクロンの深さを持つ。溝４６は、一つ以上の溝４６がカラー３６の実質的部分を占めるような寸法であることができる。図１の図示された実施態様では、二つの溝４６は、カラー３６の実質的部分（例えば全面積の５０％より多く）を占めるものとして示されている。一部変更された実施態様では、カラー３６は、より多いまたは少ない溝を備えることができ、または溝を持たないことができ、及び／または異なる寸法及び形状を持つ溝を備えることができる。他の実施態様では、周囲突起またはマイクロねじ山がカラー３６上に設けられることができる。一般的に、カラー３６上のかかる構造は、インプラント２０が挿入されるがインプラント２０のねじ山３８に比べたときにより少ない範囲まで挿入されるより硬い皮質骨に負荷をかけるために有利な形状をしており、それらは、皮質骨の下に位置した海綿状の網状組織骨と係合するように構成されることができる。他の実施態様では、カラー３６は、例えば内向きに先細りとなったりまたは逆先細り側壁を持つ非円筒形状であることができる。
【００２４】
図１に示された実施態様では、ねじ山３８のそれぞれは、面５８により連結されている末梢フランク５４と基部フランク５６を含む。上述のように、図示された歯科インプラント２０は、末梢端２４の対向側面で始まりかつインプラント本体３２の下方端３４に沿って対向位置を維持しながら下方部３４に沿って基部端２２に向けて進行する一対のねじ山３８を含む。従って、図示された実施態様では、ねじ山３８のそれぞれは同じピッチを持つ。図示された実施態様は二つのねじ山３８を示すけれども、一つまたは三つのような他の好適な数のねじ山も使用されることができることは認められるであろう。
【００２５】
図示された実施態様では、ねじ山３８のそれぞれの面５８は、ねじ山３８が歯科インプラント２０の末梢端２４から基部端２２に進行するにつれて厚さＴを増加する。すなわち、インプラント２０の末梢部分２８内のねじ山３８の末梢部分は、インプラント２０の基部部分２６上のねじ山３８の基部部分より細い面を含む。
【００２６】
インプラント本体３２は少なくとも三つの異なる角度を規定することができる。第一の角度は、インプラント本体３２の一般的形状により規定されることができる。第二の角度は、ねじ山３８の面５８により規定されることができる。第三の角度は、ねじ山のベースにより規定されることができる。図１に関して、インプラント本体３２の下方部３４の円錐形状は可変角度を含むことができる。可変角度は、末梢部分２８の角度が基部部分２６の角度より狭いように変わることができる。さらに、ねじ山３８の面５８はまた、円錐形であることができ、ねじ山３８の面５８は、変化する円錐角を規定することができる。ねじ山３８の面５８により規定される角度は、インプラント本体３２の下方部３４により形成された変化する円錐角と異なることができる。すなわち、インプラント本体３２の下方部３４により規定される円錐角は、ねじ山３８の面５８により形成された円錐角より狭くすることができる。一実施態様では、インプラント本体３２の下方部３４により規定される円錐角は、ねじ山３８の面５８により形成される円錐角より大きくすることができる。図示された実施態様は前述の円錐角関係を利用するけれども、他の好適な関係も使用されることができる。かかる好適な関係は、面５８が円錐形でなくかつ略円筒形状を規定するねじ山３８及び／またはインプラント本体３２の下方部３４の円錐角に密接に調和する円錐角を規定するねじ山３８の面５８を含むことができる。さらに他の実施態様では、ねじ山３８の面５８により規定される角度及び／または本体３２により規定される角度は、それらが実質的に円筒状であるようにインプラント２０の縦軸に略平行であることができる。
【００２７】
図１に関して、歯科インプラント２０の下方部３４は、歯科インプラント２０の末梢部分２８上に配置されている二つの溝４８を含む。溝４８は、歯科インプラント２０の挿入を助ける形状をしており、以下により詳細に検討されるであろう。下方部３４はまた、歯科インプラント２０の基部部分２６内に一対のねじ山のそれぞれの面５８上に設けられている上部溝５０を含む。インプラントの末梢部分２８では、下部溝５２（図６参照）は、歯科インプラント２０の末梢部分２８上の表面３５上のねじ山３８のそれぞれの間に設けられることができる。一般に、溝５０は略螺旋型に延びる。図示された実施態様では、各溝５０は実質的に連続している。しかし、一部変形された実施態様では、一つまたは両方の溝５０は非連続であるように形成されることができる。例えば、溝５０は、略螺旋形を一緒に形成する一連の短い溝、くぼみ、またはへこみから形成されることができる。しかし、骨組織はある寸法の連続径路に沿って成長するのを好むことが観察されたので、連続溝が有利には骨付着を促進する。
【００２８】
図１に関して、溝４８は略螺旋形状を含むことができる。さらに、溝４８は、歯科インプラント２０の末梢端２４から略中心部に向けて延びることができる。溝４８は、インプラント本体３２の下方部３４に沿って略対向位置に設けられることができる。図示された実施態様では、溝４８は、歯科インプラント２０が反時計方向に回転されるとき、骨を切断または除去するように構成されている。さらに、溝４８は、骨を切断または除去することなく時計方向に回転されるのを可能にするように構成される。しかし、骨除去は、インプラント２０を反時計方向に回転することにより達成されることができる。
【００２９】
歯科インプラント２０の図示実施態様は、歯科インプラント２０が反時計方向に回転されるときに切断するように構成されている溝４８を持って示されているけれども、他の好適な溝または溝配向もまた使用されることができる。かかる好適な溝または溝配向は、歯科インプラント２０が時計方向に回転されるときに切断またはタッピング機能を提供するように構成される溝を含むことができる。
【００３０】
続いて図１に関して、溝５０は、歯科インプラント２０上に、例えばオッセオインテグレーションのための追加の表面を提供するために設けられる。溝５０は、歯科インプラント２０の基部部分２６上に設けられたねじ山３８の部分の面５８上に設けられることができる。溝５０は、下方部３４の基部端２２で始まり、かつ下方部３４の長さの少なくとも約３７％にほぼ渡ってねじ山３８の面５８に沿って末梢端２４に向けて延びることができる。図示された実施態様では、溝５０は、歯科インプラント２０の末梢端２４に向けて消散するか及び／または先細りとなる。溝５０の消散及び／または先細りは、インプラント２０の約１／４〜１／２回転内の距離に渡って起こることができる。ある実施態様では、消散及び／または先細りを越えた面５８の部分は溝５０を含まないであろう。図１の図示された実施態様は、溝５０が下方部３４の長さの基部に近い方の３７％にほぼ沿って延びることができることを示す。しかし、他の実施態様では、上部溝５０は、下方部３４の基部に近い方の１０％〜８０％にほぼ沿って延びるように形成されることができ、他の実施態様では、上部溝５０は、下方部３４の基部に近い方の２０％〜５０％にほぼ沿って延びることができる。
【００３１】
一実施態様では、下部溝及び上部溝５０の構成は、インプラント本体３２の下方部３４の少なくとも一部分に沿って重複する上部溝及び下部溝５０をもたらすことができる。従って、上部溝及び下部溝５０の両方を含むインプラント本体３２の下方部３４の一部分がある。図示された実施態様は、上部溝５０を含むが下部溝を含まないもの、他の実施態様では上部溝と下部溝が重複することができるまたはできないもの、及び／または上部と下部溝５０間の会合点で終わることができるものまたは上部と下部溝５０間の会合点前で終わることができるものを示す。
【００３２】
図８に最も良く示されるように、歯科インプラント２０はまた、歯科インプラント２０の基部端２２で開口している中空部または内部連結界面（内腔）６６を含むことができる。図示された実施態様では、中空部６６は、−基部／冠状端から末梢／尖端に向けて−第一部分、第二部分、及び第三部分を含む。第一部分はアバットメント室６８である。第二部分は、インプラント２０の縦方向に延びかつ第二部分の内部の周りに均一に分散されて設けられた複数のかみ合い突出部７４を持つ内部に面する駆動領域６９を含む。中空部６６の第三部分は、ねじ山付き室（めねじ付き領域）７０を含む。アバットメント室６８、及びかみ合い突出部７４を持つ内部に面する駆動領域（かみ合い凹所）６９は、アバットメント１００を受けるように構成されることができ、ねじ山付き室７０は、アバットメント１００をインプラント２０に取り付けるように構成される結合ねじ２００を受けるように構成されることができる。
【００３３】
ねじ山付き室７０は、一般的にアバットメント室６８の下に設けられることができる。さらに、内部に面する駆動領域６９とねじ山付き室７０の間の領域７７は省かれることができる。これは、コンパクトな（短い）界面を可能にし、それは、インプラント２０の本体３２が先細りであるときに有益であることができる。
【００３４】
アバットメント室６８は、連結界面６６のための幅広の初期開口を提供するインプラント２０の縦軸Ｌ２に対して内向きに先細りとなる側壁（内部に面する傾斜表面）８０を含む。アバットメント室６８の特別な幾何学形状は、縦軸Ｌ２に対して円錐半角Ｘを規定する。一実施態様では、円錐半角Ｘは、約１０度と約２０度の間にある。すなわち、内部壁８０と縦中心線Ｌ２の間の角度は好ましくは約１０度と約２０度の間にある。一実施態様では、円錐半角Ｘは約１２度である。
【００３５】
図示された実施態様のさらに別の利点は、インプラント２０の実質的に平坦な上部表面２１の面積と厚さである。一実施態様では、インプラント２０の上部表面２１は、有利にはインプラント２０の上部表面２１上に特定の歯科用修復物を支持するための表面を提供することができる。追加的にまたは代替的に、上部表面２１は、かみ合い凹所６９を迂回する要素を支持するために使用されることができる。従って、一実施態様では、インプラント２０の上部表面２１は、上部表面２１の外部及び内部周囲の間で測定したときに少なくとも０．２ｍｍより大きい、別の実施態様では約０．２５ｍｍより大きい厚さを少なくとも持つ。一実施態様では、上部表面２１の厚さは約０．２５ｍｍである。
【００３６】
上述の実施態様は、歯槽骨内に埋設されたときに歯科インプラントの改善された安定性を提供する。さらに、本考案のある実施態様は、空間の効率的な利用を提供する。例えば、上述のように、ある実施態様では、上部溝５０は、内部連結界面６６を含む本体３２の一部分のねじ山３８の面５０上に設けられる。従って、インプラント２０の本体の強度は、この場所では影響を受けないままである。もし上記溝５０がこの部分の本体３２上に設けられたなら、本体強度を維持するために特定の寸法に維持された最小壁厚を持つ内部連結界面６６のために利用可能な空間がより少ないであろう。従って、内部連結界面６６の部分内の面５８に位置された上部溝５０を持つことは、連結界面６６のために利用可能な空間を改善し、さらにインプラント２０の改善された安定性を提供する。ある実施態様では、壁厚は、もし上部溝５０がかみ合い凹所７４の部分の面５８にのみ設けられ、しかも少なくとも部分的にねじ山付き室７０の場所に設けられないなら十分であるであろう。
【００３７】
インプラント２０の駆動領域６９は、複数の外向きに延びるかまたは凹状の突出部７４を含む複数の内部に面する突出部を持つ突出部構成からなる。本考案の好適な実施態様では、凹状突出部７４は、図７ｂに示されるように、互いから６０°だけ角度的に間隔を置かれている。従って、好適な実施態様では、六つの凹状突出部７４がある。好ましくは、駆動領域６９の壁厚は、なおインプラント２０を患者の顎骨中に回転し、従って埋入し、もし必要ならインプラントを回収するために十分なトルク伝達を提供しながら、できるだけ小さく保たれる。これはまた、インプラント２０の強度を最大にし、埋入及び使用時の両方でインプラント連結欠陥を減らす。
【００３８】
好ましくは、突出部７４のそれぞれは実質的に平行線に沿って延びる。従って、突出部７４はインプラント２０の縦軸Ｌ２に実質的に平行に延びる。
【００３９】
さらに、突出部７４は、図７ｂ及び８でわかるように、内部に面する傾斜表面８０中まで部分的に延びることが好ましい。言い換えれば、凹状突出部７４は、表面８０を介してアバットメント室６８内に開口する。さらに言い換えれば、傾斜表面８０は、駆動領域６９の最も内向きに延びる要素までずっと延びる。
【００４０】
さらに、外向きに延びる凹状突出部７４は、実質的に同じまたは同様な半径を持つ円の部分であり、互いに対してかつインプラントの縦軸に対して実質的に平行である側壁を持つ。この構造は、インプラント寸法にかかわらず、特に軸をはずれた負荷を含む状況にあるときに、埋入または使用時の歯科インプラント連結欠陥に抵抗し、従ってそれを減らすために増加した直径の外部壁を提供する。
【００４１】
好適な駆動領域６９は、実質的に等しい半径の部分から形成された複数の凹状突出部を含むけれども、本考案の特定の利点が、等しくない半径を持つ円から形成されているかまたは円以外の構成から形成されている裂片状構成により達成されることもできる。代替構成では、アバットメント及び駆動ツール及び配置ヘッドの対応する構成が同様に変えられる。
【００４２】
本考案によるアバットメント１００を特に図２ａ及び２ｂに関して説明する。アバットメント１００はインプラント２０に連結可能である。アバットメント１００は基部端１０２及び末梢端１０４を持つ。
【００４３】
アバットメント１００はさらに、補綴物取り付け部１１０を含む。さらに、アバットメント１００は、補綴物取り付け部１１０の少なくとも一部分を通してかつアバットメント１００の末梢端１０４に延びる中心内腔１１２を含む。
【００４４】
アバットメント１００はさらに、側面から見たときにアバットメントの縦軸Ｌ１に対してその末梢端に向けて内向きに傾斜している第一アバットメント表面１０６を含む。第一アバットメント表面１０６の傾斜角度は、図２ｂでわかるようにＸで示されている。第一アバットメント表面１０６はインプラント２０の内壁８０に対応する。
【００４５】
アバットメント１００はさらに、第一アバットメント表面に対して末梢にありかつ複数の突出部１１６を持つ第二裂片状アバットメント表面１０８を含む。突出部１１６は、外向きに延びる凸状突出部１１６であることができる。外向きに延びる凸状突出部１１６の数は、例えば六つであることができる。突出部１１６は、表面１０８の周囲の周りに均一に分布されている。第二裂片状アバットメント表面１０８は、歯科インプラント２０とアバットメント１００が連結されるときにインプラントの内部に面する駆動領域６９に対応しかつそれに隣接することができる。すなわち、外向きに延びる凸状突出部１１６は、インプラント２０の凹状突出部７４を補完しかつそれと係合するために設計されている。
【００４６】
アバットメント１００はさらに、側面から見たときに縦軸Ｌ１に対して、その末梢端に向けて内向きに傾斜している第三傾斜アバットメント表面１１４を含む。第二裂片状アバットメント表面１０８は、第三傾斜アバットメント表面１１４のすぐ隣りにある。第三傾斜アバットメント表面１１４は、アバットメント１００の末梢端１０４に向けてずっと延びる。第二裂片状アバットメント表面１０８の突出部１１６は、第三傾斜アバットメント表面１１４上に続き、それらはまた、アバットメント１００の末梢端１０４に向けてずっと延びる。さらに、第三傾斜アバットメント表面１１４の突出部１１６は、例えば図２ａ及び２ｂでわかるように傾斜される。従って、裂片状末梢端の面取りがアバットメント１００上に形成される。
【００４７】
第三傾斜アバットメント表面１１４の傾斜角度Ｙは、１２．５〜５０度であることができる。さらに、図７ｄでわかるように、凸状突出部１１６は円Ｃ上に位置し、円Ｃと凸状突出部１１６の半径方向に最も外向きの点との間の距離Ａ１は、凸状突出部１１６間の領域１１５の半径方向に最も内向きの点と円との間の最大距離Ａ２より大きくすることができる。すなわち、Ａ２＜Ａ１である。この方法では、領域１１５は、図７ｃから認められるように、薄過ぎることにならない。さらに、突出部１１６は、第三傾斜アバットメント表面１１４の傾斜角度Ｙと実質的に同じ角度で傾斜されることが好ましい。さらに、末梢端１０４のアバットメント１００の端部表面１２２は、中心内腔１１２により規定される内部円形輪郭１２４、及び突出部１１６を持つ第三傾斜アバットメント表面１１４の末梢端により規定される外部非円形輪郭１２６を持つことができる。
【００４８】
傾斜した突出部１１６を持つ第三傾斜アバットメント表面１１４は、アバットメント１００がインプラント２０と組み立てられるときにアバットメント１００の正しい位置に向けての案内を可能にする。すなわち、アバットメント１００とインプラント２０が一緒にもたらされるときにもしアバットメント１００の突出部１１６とインプラント２０の突出部７４が適切に整合されないなら、インプラント２０に対してアバットメント１００をさらにねじるかまたは回転することにより、アバットメント１００は、容易に所定場所中に落ちるであろう。総体的に、アバットメント１００のインプラント２０への連結は容易にされる。
【００４９】
さらに、インプラント２０の駆動領域６９の突出部７４は、３．０ｍｍの直径Ｄの歯科インプラント２０のために約１．５５ｍｍの実質的長さＬを持つことができる。これは、アバットメント１００が駆動領域６９と不適切に整合されているところから（その場合に突出部１１６の傾斜端が突出部７４間の表面８０の部分と接触状態にある）アバットメント１００をその軸Ｌ１の周りに回転することにより駆動領域６９と適切に整合することとなるところまで行くときにアバットメント１００に等しく実質的な「落下距離」を持たせることを可能にする。これはまた、アバットメント１００がインプラント２０内に正しく配置されたことの明確な触覚的応答を使用者に与える。Ｌ＝１．５５ｍｍかつＤ＝３．０ｍｍは、０．５２の比（Ｌ：Ｄ）を与える。好ましくは、この比は、本インプラントのためには少なくとも０.４、より好ましくは少なくとも０．４５である。第二裂片状アバットメント表面１０８及び第三傾斜アバットメント表面１１４を持つアバットメント１００の部分は、明確な触覚的応答を達成するために対応する高さを持つべきである。この高さは、例えば３．０ｍｍの直径Ｄの歯科インプラント２０のためには約１．３５ｍｍであることができる。長さＬはまた、末梢端２２での内径に対比されることができる。３．０ｍｍ直径Ｄのインプラント２０のための内径は、例えば２．５ｍｍであることができる。
【００５０】
図３は、歯科インプラント２０と組み立てられているが、まだ結合ねじにより連結または固定されていないアバットメント１００を示す側面断面図である。図示されているように、アバットメント１００の第二裂片状アバットメント表面１０８は、歯科インプラント２０の内部に面する駆動領域６９と整合しかつその中に挿入されている。さらに、第一アバットメント表面１０６を持つアバットメント１００の円錐形部分は、歯科インプラント２０のアバットメント室（受け入れ室）６８中に挿入されている。本考案では好ましくないけれども、アバットメント１００は、末梢端１０４がかみ合い凹所７４の下方端７５と接触状態にあるように歯科インプラント２０の中空部６６中に挿入されることもできる。
【００５１】
図３にも示されるように、インプラント２０の上部表面２１は、アバットメント１００がインプラント２０に結合されるときに露出されたままであることができる。一実施態様では、露出された上部表面は、少なくとも約０．２ｍｍの厚さＮを持ち、一実施態様では、約０．２５ｍｍの厚さを持つ。この厚さは少なくとも０．１ｍｍである。
【００５２】
図５に関して、結合ねじ２００の下方ねじ山付き領域２０２は、歯科インプラント２０のねじ山付き室７０と係合されることができ、結合ねじ２００の座部２１０は、アバットメント１００の座部１１１と接触している。結合ねじ２００及びアバットメント１００及び歯科インプラント２０のこの係合は、それによりアバットメント１００を歯科インプラント２０に固定することができる。
【００５３】
図４ｂは、インプラント２０を患者の顎骨内に埋入するための駆動手段（インプラント駆動体とも呼ばれる）４００の一実施態様を示す。駆動手段４００は、案内部４０６及び駆動部４０５を含む。案内部４０５は、駆動手段４００の縦軸に略平行に延びる略円筒形状のねじ山のない構造を含む。駆動部４０５は、アバットメント１００の第二裂片状アバットメント表面１０８の裂片状構成に実質的に似た裂片状構成を含み、従って駆動手段４００がインプラント２０中に挿入されかつ回転されるとき、駆動部４０５の裂片状構成は、駆動関係でインプラント２０の駆動領域６９の突出部７４とかみ合いかつ係合する。駆動手段４００はさらに、六角４０８、方形またはいかなる他の手段も含むことができ、それに対して電動化されたまたは電動化されていない器具等を付与して駆動手段４００、従ってインプラント２０を回転することができる。
【００５４】
本考案の歯科インプラント２０及びアバットメント１００の構造を述べたが、それらの設置は次のように最良に理解されることができる。まず、患者の口内のインプラント部位を調製した後、インプラント２０は、それを、図４ｂに示されたような直接駆動手段４００により、または予め組み立てられたフィクスチャーマウント（図示せず）によって、回転することにより埋入される。インプラント２０が希望の埋入深さに埋入された後、駆動手段４００またはフィクスチャーマウント装置がインプラント２０から除去される。アバットメント１００が次いでインプラントの開口端内に配置され、アバットメント１００の第二裂片状アバットメント表面１０８及び第一傾斜表面１０６は、インプラント２０の駆動領域６９及び傾斜表面８０内にそれぞれ配置されかつそれらと係合する。結合ねじ２００が次いで内腔１１２の開口端中に挿入され、図４ａに示されるようにラチェット３００により、または他の従来公知の回転ツールにより回転され、それにより結合ねじ２００の下方ねじ山付き領域２０２がインプラント２０のねじ山付き室７０のねじ山中にねじ込まれる。ラチェット３００または他の回転ツールと結合ねじ２００の界面は２０１により示されている。ねじ２００の回転は、タイトな摩擦嵌合を形成するインプラント２０のアバットメント室６８の傾斜表面８０に対してアバットメント１００の傾斜表面１０６を強制する。これはアバットメント１００とインプラント２０の間に安定性を提供する。
【００５５】
本考案を特定の好適な実施態様及び実施例で開示したが、本考案が特定の開示された実施態様を越えて他の代替実施態様及び／または本考案の使用及び明らかな変形例及びそれらの均等物まで広がることは当業者により理解されるであろう。加えて、本考案の多数の変形例を示しかつ詳細に述べたが、本考案の範囲内にある他の変更もこの開示に基づいて当業者に容易に明らかとなるであろう。実施態様の特定の特徴及び態様の種々の組み合わせまたは副組み合わせがなされることができ、それらが本考案の範囲内に入ることも予想される。従って、開示された実施態様の種々の特徴及び態様が開示された考案の多様な方式を実施するために互いに組み合わされまたは置き換えられることができることは理解されるべきである。従って、ここに開示された本考案の範囲は、上述の特定の開示された実施態様により限定されるべきでないこと、また請求項の正当な読みとりによってのみ決定されるべきであることが意図されている。